(57)【要約】【課題】シート構成部材の角度調節機構を担うシートアジャスタをシートフレームに対して直接的な溶接以外の方法を用いて簡便かつ適切に結合できるようにすること。【解決手段】リクライナ３（シートアジャスタ）と、リクライナ３と一体的な状態に結合されるサイドフレーム２Ｆａと、を有するシート１であって、サイドフレーム２Ｆａに形成されてリクライナ３の構成面部（突起部３Ａ）を露出させる貫通孔２Ｆａ１と、貫通孔２Ｆａ１を通して露出するリクライナ３の構成面部（突起部３Ａ）との結合により貫通孔２Ｆａ１よりも孔径方向の外側に張り出してサイドフレーム２Ｆａをリクライナ３との間で挟み込む形となってリクライナ３をサイドフレーム２Ｆａと結合した状態にする保持部材（蓋板４Ａ）と、を有するものである。【選択図】図３
2018034525.tif 000002
【特許請求の範囲】
【請求項１】
シート構成部材の角度調節機構を担うシートアジャスタと、該シートアジャスタと一体的な状態に結合されるシートフレームと、を有する乗物用シートであって、
前記シートフレームに形成されて前記シートアジャスタの構成面部を露出させる貫通孔と、
該貫通孔を通して露出する前記シートアジャスタの構成面部との結合により前記貫通孔よりも孔径方向の外側に張り出して前記シートフレームを前記シートアジャスタとの間で挟み込む形となって前記シートアジャスタを前記シートフレームと結合した状態にする保持部材と、を有する乗物用シート。
【請求項２】
請求項１に記載の乗物用シートであって、
前記貫通孔を通して露出する前記シートアジャスタの構成面部が、前記シートアジャスタから突出して前記貫通孔内に差し込まれる突起部とされている乗物用シート。
【請求項３】
請求項２に記載の乗物用シートであって、
前記保持部材が、前記突起部の前記貫通孔を貫通した先の突出部位の外周部に形成された環状の溝に嵌め込まれて装着される止め輪として構成されている乗物用シート。
【請求項４】
請求項１又は請求項２に記載の乗物用シートであって、
前記保持部材が、前記シートアジャスタの構成面部に溶接固定されている乗物用シート。
【請求項５】
請求項１又は請求項２に記載の乗物用シートであって、
前記保持部材が、前記シートアジャスタの構成面部に差込み式の締結構造により結合されている乗物用シート。
【請求項６】
請求項１から請求項５のいずれかに記載の乗物用シートであって、
前記保持部材が、前記シートアジャスタの構成面部との結合により前記シートフレームに対して前記貫通孔の孔径方向に当接して該孔径方向にガタ詰めされた状態として組み付けられている乗物用シート。
【発明の詳細な説明】
【技術分野】
【０００１】
本発明は、乗物用シートに関する。詳しくは、シート構成部材の角度調節機構を担うシートアジャスタと、シートアジャスタと一体的な状態に結合されるシートフレームと、を有する乗物用シートに関する。
【背景技術】
【０００２】
従来、車両用シートにおいて、シートバックの傾斜角度を調節可能なリクライナを備えた構成が知られている（特許文献１）。上述したリクライナは、シートバックの各サイドフレームと、各サイドフレームの外側に位置するベース側の各支持フレームと、の間に介在して、これらに対して溶接により強固に一体的に結合された状態とされている。
【先行技術文献】
【特許文献】
【０００３】
【特許文献１】特開２０１５−２２７０７１号公報
【発明の概要】
【発明が解決しようとする課題】
【０００４】
上記従来技術では、リクライナと各側のフレームとが互いに溶接しにくい異材質の関係となる場合に、これらの結合が複雑化したり不十分となったりするおそれがある。本発明は、上記問題を解決するものとして創案されたものであって、本発明が解決しようとする課題は、シート構成部材の角度調節機構を担うシートアジャスタをシートフレームに対して直接的な溶接以外の方法を用いて簡便かつ適切に結合できるようにすることにある。
【課題を解決するための手段】
【０００５】
上記課題を解決するために、本発明の乗物用シートは次の手段をとる。
【０００６】
第１の発明は、シート構成部材の角度調節機構を担うシートアジャスタと、シートアジャスタと一体的な状態に結合されるシートフレームと、を有する乗物用シートであって、シートフレームに形成されてシートアジャスタの構成面部を露出させる貫通孔と、貫通孔を通して露出するシートアジャスタの構成面部との結合により貫通孔よりも孔径方向の外側に張り出してシートフレームをシートアジャスタとの間で挟み込む形となってシートアジャスタをシートフレームと結合した状態にする保持部材と、を有するものである。
【０００７】
この第１の発明によれば、シートフレームの貫通孔を通してシートアジャスタの構成面部と保持部材とをシートフレームを間に挟み込む形に結合することにより、シートアジャスタをシートフレームに対して直接的な溶接以外の方法を用いて簡便かつ適切に結合することができる。
【０００８】
第２の発明は、上述した第１の発明において、次の構成とされているものである。貫通孔を通して露出するシートアジャスタの構成面部が、シートアジャスタから突出して貫通孔内に差し込まれる突起部とされている。
【０００９】
この第２の発明によれば、突起部が貫通孔内に差し込まれて支持される構造により、シートアジャスタのシートフレームに対する結合強度を適切に高めることができる。また、突起部が貫通孔内に差し込まれることで、シートアジャスタの構成面部が貫通孔の奥の方から浮き出た状態に設けられるようになるため、保持部材をシートアジャスタの構成面部に対して外部から視認しやすい簡便な構造により結合することができる。
【００１０】
第３の発明は、上述した第２の発明において、次の構成とされているものである。保持部材が、突起部の貫通孔を貫通した先の突出部位の外周部に形成された環状の溝に嵌め込まれて装着される止め輪として構成されている。
【００１１】
この第３の発明によれば、突起部の突出形状を利用して、保持部材をシートアジャスタの構成面部に対して簡便な装着により適切に結合することができる。
【００１２】
第４の発明は、上述した第１又は第２の発明において、次の構成とされているものである。保持部材が、シートアジャスタの構成面部に溶接固定されている。
【００１３】
この第４の発明によれば、保持部材をシートアジャスタの構成面部に対して簡便かつ強固に一体的に結合することができる。したがって、シートアジャスタをシートフレームに対してより強固に結合することができる。
【００１４】
第５の発明は、上述した第１又は第２の発明において、次の構成とされているものである。保持部材が、シートアジャスタの構成面部に差込み式の締結構造により結合されている。
【００１５】
この第５の発明によれば、保持部材をシートアジャスタの構成面部に対して差し込みによる簡便な方法により結合することができる。
【００１６】
第６の発明は、上述した第１から第５のいずれかの発明において、次の構成とされているものである。保持部材が、シートアジャスタの構成面部との結合によりシートフレームに対して貫通孔の孔径方向に当接して孔径方向にガタ詰めされた状態として組み付けられている。
【００１７】
この第６の発明によれば、保持部材を介してシートアジャスタをシートフレームに対して貫通孔の孔径方向にガタ付かせない状態に結合することができる。
【図面の簡単な説明】
【００１８】
【図１】実施例１の乗物用シートの概略構成を表した斜視図である。
【図２】図１のII視部分を拡大して表した側面図である。
【図３】図２のIII-III線断面図である。
【図４】実施例２の乗物用シートの概略構成を表した側面図である。
【図５】実施例３の乗物用シートの概略構成を表した側面図である。
【図６】図５のVI-VI線断面図である。
【図７】実施例４の乗物用シートの概略構成を表した側面図である。
【図８】図７のVIII-VIII線断面図である。
【図９】実施例５の乗物用シートの概略構成を表した側面図である。
【図１０】図９のX-X線断面図である。
【図１１】実施例６の乗物用シートの概略構成を表した側面図である。
【図１２】図１１のXII-XII線断面図である。
【図１３】実施例７の乗物用シートの概略構成を表した側面図である。
【図１４】図１３のXIV-XIV線断面図である。
【発明を実施するための形態】
【００１９】
以下に、本発明を実施するための形態について、図面を用いて説明する。
【実施例１】
【００２０】
初めに、実施例１のシート１（乗物用シート）の構成について、図１〜図３を用いて説明する。本実施例のシート１は、図１に示すように、自動車の座席として構成されており、着座者の背凭れ部となるシートバック２と、着座部となる不図示のシートクッションと、を備えた構成とされている。上述したシートバック２は、その内部骨格を構成する金属製のバックフレーム２Ｆが、左右一対の縦長状の鉄板材から成るサイドフレーム２Ｆａと、各サイドフレーム２Ｆａの上端部間に一体的に架橋された鉄パイプ材から成るアッパフレーム２Ｆｂと、によって略逆Ｕ字状に組まれた形となって構成されている。
【００２１】
上述した各サイドフレーム２Ｆａは、それぞれ、シート幅方向に面を向けた状態に配設されている。そして、各サイドフレーム２Ｆａは、それらの下端側の外側面部に、それぞれ、シートリクライニング調節機構を担う略円板形状のリクライナ３が結合されて、これらリクライナ３を介して図示しないシートクッションの後端部に連結された構成とされている。上記構成により、シートバック２は、上述した各リクライナ３を介して、図示しないシートクッションに対する背凭れ角度の調節が行える構成とされている。なお、各リクライナ３の具体的な構成については、特開２０１５−２０９０６９号公報、又は特開２０１１−２４０７５８号公報等の文献に開示された公知の構成と同じとなっているため、詳細な説明を省略することとする。ここで、各リクライナ３が本発明の「シートアジャスタ」に相当し、各サイドフレーム２Ｆａが本発明の「シートフレーム」に相当する。
【００２２】
上述した各リクライナ３は、具体的には、次の手順によって、各側のサイドフレーム２Ｆａに一体的に結合されている。先ず、図２〜図３に示すように、各リクライナ３の各サイドフレーム２Ｆａの外側面部と対向する内側面側の構成部品を、それぞれ、各サイドフレーム２Ｆａの外側面部に重ね合わされた状態にセットする。詳しくは、各リクライナ３の構成部品を、これら構成部品の内側面部上に突出して形成された円周方向に並ぶ６つの円柱形状の突起部３Ａを各サイドフレーム２Ｆａの対応する６箇所に貫通して形成された正円形状の各貫通孔２Ｆａ１内にそれぞれ嵌め込む形で、各サイドフレーム２Ｆａの外側面部に重ね合わせた状態にセットする。上記組み付けにより、各突起部３Ａの各貫通孔２Ｆａ１内に差し込まれた先の端面部が、それぞれ、各サイドフレーム２Ｆａの内側面部と略面一状を成す形に組み付けられた状態となる。
【００２３】
次に、各サイドフレーム２Ｆａの内側面側から、上述した各突起部３Ａが露出する各貫通孔２Ｆａ１に対して、各貫通孔２Ｆａ１よりもひとまわり大きな円板形状を持つ各蓋板４Ａをそれぞれ蓋をする形で当てた状態にセットする。そして、上記組み付けにより互いに当てられた状態となった各蓋板４Ａと各突起部３Ａの端面部との当接箇所を、それぞれレーザ溶接により一体的に結合する（溶接箇所Ｗ）。上記結合により、各リクライナ３の内側面側の構成部品と、これら構成部品と一体的に結合された各蓋板４Ａと、の間に、各サイドフレーム２Ｆａが挟み込まれた状態となる。これにより、各リクライナ３が各蓋板４Ａを介して各サイドフレーム２Ｆａに一体的に結合された状態となる。ここで、各蓋板４Ａがそれぞれ本発明の「保持部材」に相当する。
【００２４】
上述した各蓋板４Ａは、上述した各サイドフレーム２Ｆａに空けられた各貫通孔２Ｆａ１を通して各サイドフレーム２Ｆａの内側面部と略面一状を成す形に組み付けられる各突起部３Ａの端面部に当てられて溶接される構成であることから、それらの各貫通孔２Ｆａ１から孔径方向の外側に張り出す周縁部分が各サイドフレーム２Ｆａの内側面部にも広く当てられた状態として組み付けられるようになっている。上記構成により、各リクライナ３が、各サイドフレーム２Ｆａに対して、シート幅方向にガタ付きを生じない形に組み付けられるようになっている。また、各リクライナ３は、各突起部３Ａが各サイドフレーム２Ｆａの貫通孔２Ｆａ１内に嵌め込まれた状態として組み付けられるようになっていることから、各サイドフレーム２Ｆａに対して回転方向（孔径方向）に剥離したり変形したりしにくい高い接合強度及び構造強度を持った形に組み付けられるようになっている。
【００２５】
以上をまとめると、本実施例のシート１は次のような構成とされている。すなわち、シート構成部材の角度調節機構を担うシートアジャスタ（リクライナ３）と、シートアジャスタ（リクライナ３）と一体的な状態に結合されるシートフレーム（サイドフレーム２Ｆａ）と、を有する乗物用シート（シート１）であって、シートフレーム（サイドフレーム２Ｆａ）に形成されてシートアジャスタ（リクライナ３）の構成面部（突起部３Ａ）を露出させる貫通孔（貫通孔２Ｆａ１）と、貫通孔（貫通孔２Ｆａ１）を通して露出するシートアジャスタ（リクライナ３）の構成面部（突起部３Ａ）との結合により貫通孔（貫通孔２Ｆａ１）よりも孔径方向の外側に張り出してシートフレーム（サイドフレーム２Ｆａ）をシートアジャスタ（リクライナ３）との間で挟み込む形となってシートアジャスタ（リクライナ３）をシートフレーム（サイドフレーム２Ｆａ）と結合した状態にする保持部材（蓋板４Ａ）と、を有するものである。
【００２６】
このように、シートフレーム（サイドフレーム２Ｆａ）の貫通孔（貫通孔２Ｆａ１）を通してシートアジャスタ（リクライナ３）の構成面部（突起部３Ａ）と保持部材（蓋板４Ａ）とをシートフレーム（サイドフレーム２Ｆａ）を間に挟み込む形に結合することにより、シートアジャスタ（リクライナ３）をシートフレーム（サイドフレーム２Ｆａ）に対して直接的な溶接以外の方法を用いて簡便かつ適切に結合することができる。したがって、上記シートアジャスタ（リクライナ３）をシートフレーム（サイドフレーム２Ｆａ）に結合するに際して、直接的な溶接に伴う入熱の影響がないことから、溶け落ち等の組み付け不良を生じさせることなく、両社を簡便かつ適切に結合することができる。更に、シートアジャスタ（リクライナ３）とシートフレーム（サイドフレーム２Ｆａ）とが鉄材とアルミ材との組み合わせから成るものなど、互いに直接的な溶接が難しい異材同士の組み合わせから成る場合であっても、上記構成を採ることにより、両者を互いに簡便かつ適切に結合することができる。
【００２７】
また、貫通孔（貫通孔２Ｆａ１）を通して露出するシートアジャスタ（リクライナ３）の構成面部（突起部３Ａ）が、シートアジャスタ（リクライナ３）から突出して貫通孔（貫通孔２Ｆａ１）内に差し込まれる突起部とされている。上記のように突起部（突起部３Ａ）が貫通孔（貫通孔２Ｆａ１）内に差し込まれて支持される構造により、シートアジャスタ（リクライナ３）のシートフレーム（サイドフレーム２Ｆａ）に対する結合強度を適切に高めることができる。また、突起部（突起部３Ａ）が貫通孔（貫通孔２Ｆａ１）内に差し込まれることで、シートアジャスタ（リクライナ３）の構成面部（突起部３Ａ）が貫通孔（貫通孔２Ｆａ１）の奥の方から浮き出た状態に設けられるようになるため、保持部材（蓋板４Ａ）をシートアジャスタ（リクライナ３）の構成面部（突起部３Ａ）に対して外部から視認しやすい簡便な構造により結合することができる。
【００２８】
また、保持部材（蓋板４Ａ）が、シートアジャスタ（リクライナ３）の構成面部（突起部３Ａ）に溶接固定されている（溶接箇所Ｗ）。このような構成とされていることにより、保持部材（蓋板４Ａ）をシートアジャスタ（リクライナ３）の構成面部（突起部３Ａ）に対して簡便かつ強固に一体的に結合することができる。したがって、シートアジャスタ（リクライナ３）をシートフレーム（サイドフレーム２Ｆａ）に対してより強固に結合することができる。
【実施例２】
【００２９】
続いて、実施例２のシート１（乗物用シート）の構成について、図４を用いて説明する。本実施例では、各サイドフレーム２Ｆａ（シートフレーム）の貫通孔２Ｆａ１内に嵌合されて露出する各リクライナ３（シートアジャスタ）の各突起部３Ａの端面部に当てられて溶接される蓋板４Ｂ（保持部材）が、全ての突起部３Ａに跨って１枚で当てられる大きな円板形状を持つ形に形成された構成とされている。上記蓋板４Ｂは、各突起部３Ａのそれぞれに対して個別にレーザ溶接されて結合されている（溶接箇所Ｗ）。上記構成により、蓋板４Ｂの部品点数を少なく抑えることができ、組み付けの手間を少なくすることができる。なお、上記以外の構成については、実施例１で示した構成と同じとなっているため、同一の符号を付して説明を省略することとする。
【実施例３】
【００３０】
続いて、実施例３のシート１（乗物用シート）の構成について、図５〜図６を用いて説明する。本実施例では、各サイドフレーム２Ｆａ（シートフレーム）の貫通孔２Ｆａ１内に通されて露出する各リクライナ３（シートアジャスタ）の各突起部３Ａが、各貫通孔２Ｆａ１よりもひとまわり小さな外径寸法を持つ円柱形状に形成された構成とされている。上記構成により、各突起部３Ａは、各貫通孔２Ｆａ１に対して孔径方向の隙間が形成される形に嵌合される構成とされている。
【００３１】
上記構成を持つ各突起部３Ａに対して、各貫通孔２Ｆａ１に蓋をする形に組み付けられる蓋板４Ｃ（保持部材）は、実施例２で示した構成と同じように、全ての突起部３Ａに跨って１枚で当てられる大きな円板形状を持つ形に形成された構成とされている。しかし、上記蓋板４Ｃの各貫通孔２Ｆａ１に蓋をする位置にセットされる円周方向の６箇所の各領域部には、それぞれ、各突起部３Ａの外径と略同じ孔径を持つ丸孔形状の円孔４Ｃ１が形成されると共に、各円孔４Ｃ１の周縁部をバーリング加工により円筒形状に突出させた形にしたフランジ４Ｃ２が形成されている。上記各フランジ４Ｃ２は、上述した各貫通孔２Ｆａ１内に嵌合される外径寸法を持つ円筒形状とされており、蓋板４Ｃが各貫通孔２Ｆａ１に蓋をする形にセットされる組み付けにより、上記各貫通孔２Ｆａ１と各突起部３Ａとの間の孔径方向の隙間内に嵌り込んだ状態に組み付けられるようになっている。
【００３２】
上記蓋板４Ｃは、上記のように各フランジ４Ｃ２が各貫通孔２Ｆａ１と各突起部３Ａとの間の隙間内に嵌め込まれた状態に組み付けられた後、各フランジ４Ｃ２の内周面とこれらの円筒内（円孔４Ｃ１内）に露出する各突起部３Ａとの当接箇所をそれぞれアーク溶接することにより、各突起部３Ａと一体的に結合されている（溶接箇所Ｗ）。なお、上記以外の構成については、実施例１で示した構成と同じとなっているため、同一の符号を付して説明を省略することとする。
【実施例４】
【００３３】
続いて、実施例４のシート１（乗物用シート）の構成について、図７〜図８を用いて説明する。本実施例では、各サイドフレーム２Ｆａ（シートフレーム）の貫通孔２Ｆａ１内に嵌合されて露出する各リクライナ３（シートアジャスタ）の各突起部３Ａの端面部に当てられる各々の蓋板４Ｄ（保持部材）が、各突起部３Ａに対して差込み式の締結構造により結合される構成とされている。具体的には、各蓋板４Ｄの各突起部３Ａの端面部と対面する側の面部上には、雄ねじの切られたねじ軸４Ｄ１が突出した形となって形成されている。上記各蓋板４Ｄは、上述した各ねじ軸４Ｄ１を、各突起部３Ａの端面部に穴あけされた対応する各雌ねじ穴３Ａ１内に螺合させて締結させることにより、各突起部３Ａに一体的に結合された状態とされている。
【００３４】
ここで、上述した各ねじ軸４Ｄ１が対応する各雌ねじ穴３Ａ１に差し込まれて締結される構造が本発明の「差込み式の締結構造」に相当する。なお、上記以外の構成については、実施例１で示した構成と同じとなっているため、同一の符号を付して説明を省略することとする。
【００３５】
このように、保持部材（蓋板４Ｄ）がシートアジャスタ（リクライナ３）の構成面部（突起部３Ａ）に差込み式の締結構造（ねじ軸４Ｄ１が雌ねじ穴３Ａ１に螺合締結される構造）により結合されていることにより、保持部材（蓋板４Ｄ）をシートアジャスタ（リクライナ３）の構成面部（突起部３Ａ）に対して差し込みによる簡便な方法により結合することができる。
【実施例５】
【００３６】
続いて、実施例５のシート１（乗物用シート）の構成について、図９〜図１０を用いて説明する。本実施例では、各蓋板４Ｄ（保持部材）が、実施例４で示した構成と同じように、ねじ軸４Ｄ１を各突起部３Ａの端面部に穴あけされた対応する雌ねじ穴３Ａ１内に螺合させて締結させる構成（差込み式の締結構造）となっているが、上記締結に伴って各側のサイドフレーム２Ｆａ（シートフレーム）の対応する各貫通孔２Ｆａ１の周縁部２Ｆａ２を、各側のリクライナ３（シートアジャスタ）の対応する各突起部３Ａとの間で孔径方向に当接させる形にかしめる構成とされている。
【００３７】
具体的には、図１０に示すように、各蓋板４Ｄには、その周縁部からねじ軸４Ｄ１と同じ方向に向かってねじ軸４Ｄ１よりも短く突出する円筒形状のフランジ部４Ｄ２が形成されている。各フランジ部４Ｄ２は、それらの円筒形状が、各突起部３Ａの外径寸法よりもひとまわり大きな内径寸法を持つ形に形成されている。また、各サイドフレーム２Ｆａ（シートフレーム）に形成された対応する各貫通孔２Ｆａ１は、上述した各蓋板４Ｄの対応するねじ軸４Ｄ１の外径寸法よりは大きいが、各リクライナ３に形成された対応する各突起部３Ａの外径寸法よりは小さな孔径を持つ正円形状とされている。上記構成により、各サイドフレーム２Ｆａは、各突起部３Ａを各貫通孔２Ｆａ１の内部に通すのではなく各貫通孔２Ｆａ１の周縁部２Ｆａ２の外側面部に当てた状態としてセットさせる構成とされている。
【００３８】
上記構成の各突起部３Ａに対し、対応する各蓋板４Ｄのねじ軸４Ｄ１を各サイドフレーム２Ｆａの対応する各貫通孔２Ｆａ１内に内側面側から差し込んで各雌ねじ穴３Ａ１内に螺合させると、その螺合の途中過程で、各蓋板４Ｄのフランジ部４Ｄ２が各サイドフレーム２Ｆａの対応する各貫通孔２Ｆａ１の周縁部２Ｆａ２に内側面側から押し当てられる。そして、上記状態から更に、各蓋板４Ｄのねじ軸４Ｄ１を各突起部３Ａの雌ねじ穴３Ａ１内に螺合させていくことにより、その螺合させる力によって、各サイドフレーム２Ｆａの各貫通孔２Ｆａ１の周縁部２Ｆａ２が、各蓋板４Ｄのフランジ部４Ｄ２と各リクライナ３の各突起部３Ａとの間に押し挟まれる形で、これらの間の空間形状に沿った略ハット型形状に折り曲げるようにかしめられる。上記かしめにより、各蓋板４Ｄ及び各リクライナ３の突起部３Ａが、それぞれ、各サイドフレーム２Ｆａに対して各貫通孔２Ｆａ１の孔径方向に周方向の全域に亘って押し当てられて、ガタ付きを生じない形に組み付けられた状態となる。
【００３９】
このように、本実施例のシート１は、貫通孔（貫通孔２Ｆａ１）が突起部（突起部３Ａ）よりも小さな孔径を持つ形に形成され、貫通孔（貫通孔２Ｆａ１）の突起部（突起部３Ａ）が差し込まれる側とは反対側の開口から保持部材（蓋板４Ｄ）が差し込まれて突起部（突起部３Ａ）の突出した先の端面部に締結されることで、保持部材（蓋板４Ｄ）の形に沿ってシートフレーム（サイドフレーム２Ｆａ）が突起部（突起部３Ａ）を内部に受け入れる形となる凹形状にかしめられて突起部（突起部３Ａ）の差し込まれる実質的な孔（貫通孔２Ｆａ１の周縁部２Ｆａ２が略ハット型形状にかしめられて形成される凹部）が形成された構成とされている。なお、上記以外の構成については、実施例１で示した構成と同じとなっているため、同一の符号を付して説明を省略することとする。
【実施例６】
【００４０】
続いて、実施例６のシート１（乗物用シート）の構成について、図１１〜図１２を用いて説明する。本実施例では、各側のリクライナ３（シートアジャスタ）から突出する各突起部３Ａが、各側のサイドフレーム２Ｆａ（シートフレーム）に形成された対応する各貫通孔２Ｆａ１を貫通する位置まで差し込まれて突出する突出部位３Ａ２を有した形状とされている。そして、各突起部３Ａは、上記各貫通孔２Ｆａ１を貫通した先の位置で突出する突出部位３Ａ２に対し、それらの外周部に形成された環状の溝３Ａ２ａに、各貫通孔２Ｆａ１の孔径よりも大きな外径寸法を持つ止め輪としての中空円板形状のＣリング４Ｅ（保持部材）が嵌め込まれて装着されている。上記構成により、各リクライナ３が、各Ｃリング４Ｅを介してそれらの突起部３Ａが各サイドフレーム２Ｆａの対応する各貫通孔２Ｆａ１から抜けないように保持された状態とされている。なお、上記以外の構成については、実施例１で示した構成と同じとなっているため、同一の符号を付して説明を省略することとする。
【００４１】
このように、保持部材（Ｃリング４Ｅ）が、突起部（突起部３Ａ）の貫通孔（貫通孔２Ｆａ１）を貫通した先の突出部位（突出部位３Ａ２）の外周部に形成された環状の溝（溝３Ａ２ａ）に嵌め込まれて装着される止め輪として構成されていることにより、突起部（突起部３Ａ）の突出形状を利用して、保持部材（Ｃリング４Ｅ）をシートアジャスタ（リクライナ３）の構成面部に対して簡便な装着により適切に結合することができる。
【実施例７】
【００４２】
続いて、実施例７のシート１（乗物用シート）の構成について、図１３〜図１４を用いて説明する。本実施例では、各リクライナ３（シートアジャスタ）に対し、各サイドフレーム２Ｆａ（シートフレーム）に形成された各貫通孔２Ｆａ１内に差し込まれる突起部が形成されておらず、代わりに、これら貫通孔２Ｆａ１に対して蓋をする形に組み付けられる円板形状の各蓋板４Ｆに対して、各貫通孔２Ｆａ１内に差し込まれて各リクライナ３の内側面部に面当接した状態にセットされる略ハット型形状に絞り加工された段差部４Ｆ１が形成されている。上記各蓋板４Ｆは、それらの外径寸法が各貫通孔２Ｆａ１の孔径よりも大きな円板形状とされており、それらの中央部に上述した段差部４Ｆ１が形成された構成とされている。各段差部４Ｆ１は、断面略台形状に押し出された形状とされ、それらの傾斜した外周面部が各貫通孔２Ｆａ１の内周面に当てられて孔径方向にガタ詰めされた状態とされるると共に、押し出された先の天板面部が各リクライナ３の内側面部に面当接した状態にセットされる構成とされている。そして、各蓋板４Ｆは、それらの各段差部４Ｆ１の天板面部と各リクライナ３の内側面部との当接箇所が、それぞれレーザ溶接されて一体的に結合されている（溶接箇所Ｗ）。
【００４３】
以上、本発明の実施形態を７つの実施例を用いて説明したが、本発明は上記実施例のほか各種の形態で実施することができるものである。例えば、本発明の乗物用シートの構成は、鉄道等の自動車以外の車両や、航空機、船舶等の他の乗物用に供されるシートにも広く適用することができるものである。また、本発明の構成は、シートアジャスタとしてのリクライナとシートバックの構成フレームとの結合構造の他、リクライナとシートクッション等のフロア側に固定されるベース側構成フレームとを結合する構造にも適用することができるものである。
【００４４】
また、シートアジャスタとシートフレームとは、互いが直接的に溶接しやすい同材同士の組み合わせから成るものの他、一方が鉄材で他方がアルミ材から成るもの等、互いが直接的な溶接の難しい異材同士の組み合わせから成るものであってもよい。このような異材同士の組み合わせから成る構成であっても、上記各実施例に示したような保持部材を介した結合を行うことで、両者を直接的な溶接以外の方法を用いて簡便かつ適切に結合することができる。なお、上記シートアジャスタとシートフレームとは、樹脂材等の金属材以外の材料から成るものであってもよい。
【００４５】
また、シートフレームに形成されてシートアジャスタの構成面部を露出させる貫通孔は、多角形状その他の異形状から成る円形以外の孔形状から成るものであってもよい。また、上記貫通孔内に差し込まれるシートアジャスタの構成面部から突出する突起部は、必ずしも貫通孔と同じような形状で突出する形とされていなくてもよく、差し込みが可能な形状とされているものであればよい。また、突起部は、必ずしも、貫通孔に対して孔の深さ方向の全域に亘って差し込まれる構成でなくてもよく、貫通孔に対して浅く差し込まれる構成とされたものであってもよい。このような構成であっても、保持部材側に上記突起部と結合可能に延び出る構成が設けられていれば、両者を適切に当てて結合することができる。
【００４６】
また、保持部材は、シートフレームの貫通孔を通して露出するシートアジャスタの構成面部との結合により貫通孔よりも孔径方向の外側に張り出してシートフレームをシートアジャスタとの間で挟み込む形をとる構成とされるものであればよく、必ずしも貫通孔全体を塞ぐ形に蓋をする形状とされたものでなくてもよい。具体的には、保持部材が突起部に対して孔径方向の外側から差し込まれるピンにより構成されたものや、突起部の貫通孔を突出した先の突出部位の外周部に溶接されて貫通孔より孔径方向の外側に張り出した状態として設けられるもの等が挙げられる。また、保持部材は、シートアジャスタの構成面部に貫通孔の貫通方向に圧入されて一体的に結合されるものであってもよい。なお、上記保持部材は、シートフレームと同材の構成とされる場合には、その貫通孔より孔径方向の外側に張り出す領域をシートフレームに溶接することにより、シートフレームに対する結合強度をより高めた構成、すなわち、シートアジャスタのシートフレームへの結合強度をより高めた構成とすることができる。
【００４７】
また、シートアジャスタは、シートバックの背凭れ角度を調節する機構の他、オットマンの角度調節やシートクッションのフロントチルトの角度調節、アームレストの角度調節、シートリフタを構成するリンク機構の角度調節、シートのタンブルの角度調節等、各種回転を伴うシート構造の継手として設けられる様々なシート構成部材の角度調節機構に対して広く適用することができるものである。
【符号の説明】
【００４８】
１      シート（乗物用シート）
２      シートバック
２Ｆ    バックフレーム
２Ｆａ  サイドフレーム（シートフレーム）
２Ｆａ１  貫通孔
２Ｆａ２  周縁部
２Ｆｂ  アッパフレーム
３      リクライナ（シートアジャスタ）
３Ａ    突起部
３Ａ１  雌ねじ穴（差込み式の締結構造）
３Ａ２  突出部位
３Ａ２ａ  溝
４Ａ    蓋板（保持部材）
４Ｂ    蓋板（保持部材）
４Ｃ    蓋板（保持部材）
４Ｃ１  円孔
４Ｃ２  フランジ
４Ｄ    蓋板（保持部材）
４Ｄ１  ねじ軸（差込み式の締結構造）
４Ｄ２  フランジ部
４Ｅ    Ｃリング（保持部材、止め輪）
４Ｆ    蓋板（保持部材）
４Ｆ１  段差部
Ｗ      溶接箇所
【図１】
2018034525.tif 000003
【図２】
2018034525.tif 000004
【図３】
2018034525.tif 000005
【図４】
2018034525.tif 000006
【図５】
2018034525.tif 000007
【図６】
2018034525.tif 000008
【図７】
2018034525.tif 000009
【図８】
2018034525.tif 000010
【図９】
2018034525.tif 000011
【図１０】
2018034525.tif 000012
【図１１】
2018034525.tif 000013
【図１２】
2018034525.tif 000014
【図１３】
2018034525.tif 000015
【図１４】
2018034525.tif 000016